(57)【特許請求の範囲】
【請求項１】
下記（ａ）成分、（ｂ）成分及び（ｃ）成分を含有し、（ａ）成分の含有量が10〜30重量％、（ｂ）成分の含有量が 0.1〜10重量％、（ｂ）成分と（ｃ）成分との重量比（ｂ）／（ｃ）＝１／10〜10／１であり、粘度が20℃で50 mPa・ｓ以下で、かつ５℃での粘度と20℃での粘度との差が10 mPa・ｓ以下であることを特徴とし、トリガー式スプレーヤーに充填して用いる台所用洗浄剤組成物。
（ａ）アルキル基の炭素数８〜20のアルキルグリコシド又は脂肪酸の炭素数８〜20の脂肪酸ジエタノールアミドから選ばれる少なくとも１種のノニオン界面活性剤と、アルキル基の炭素数が８〜20でアルキレンオキサイドの平均付加モル数が20以下のポリオキシアルキレンアルキルエーテル硫酸塩又はアルキル基の炭素数が８〜20でアルキレンオキサイドの平均付加モル数が20以下のポリオキシアルキレンアルキルアミドエーテルカルボン酸塩から選ばれる少なくとも１種のアニオン界面活性剤との重量比１／15〜15／１の混合物
（ｂ）ジオール系溶剤
（ｃ）多価アルコールのアルキレンオキサイド付加物及び下記一般式（Ｉ）
【化１】
0003782221.tif 000009
（式中、R1は水素原子又は炭素数１〜５のアルキル基又はアルケニル基を示し、M はアルカリ金属、アルカリ土類金属、アンモニウム又はアルカノールアミンを示す。）
で表される置換又は無置換ベンゼンスルホン酸塩からなる群から選ばれる少なくとも１種
【請求項２】
（ｂ）成分が、一般式（II）で表される炭素数４〜16のジオール系溶剤である請求項１記載の洗浄剤組成物。
【化２】
0003782221.tif 000010
（式中、R2は炭素数４〜16の直鎖又は分岐鎖のアルキレン基を示す。）
【請求項３】
一般式（II）で表されるジオール系溶剤が１，６−ヘキサンジオールあるいは１, ８−オクタンジオールである請求項２記載の洗浄剤組成物。
【請求項４】
多価アルコールのアルキレンオキサイド付加物が、エチレングリコール、プロピレングリコール又はグリセリンのエチレンオキサイド又はプロピレンオキサイド付加物で、かつ平均分子量が 300〜4000である請求項１〜３のいずれか一項に記載の洗浄剤組成物。
【請求項５】
一般式（Ｉ）で表される置換又は無置換ベンゼンスルホン酸塩が、トルエンスルホン酸のアルカリ金属塩、アルカリ土類金属塩、アンモニウム塩又はアルカノールアミン塩である請求項１〜４のいずれか一項に記載の洗浄剤組成物。
【請求項６】
更に、（ｄ）成分として、下記一般式(III) 、 (IV) 又は（Ｖ）で表される水溶性溶剤を 0.1〜10重量％含有する請求項１〜５のいずれか一項に記載の洗浄剤組成物。
【化３】
0003782221.tif 000011
（式中、R3は炭素数３〜８の直鎖もしくは分岐鎖のアルキル基あるいはアルケニル基、フェニル基又はベンジル基を示し、R4は炭素数２〜３の直鎖又は分岐鎖のアルキレン基を示し、ｎ個のR4は同一でも異なっていてもよい。ｎは１〜10の数を示す。R5は炭素数１〜６のアルキル基を示す。R6は炭素数１〜６のアルキル基を示す。）
【請求項７】
（ｄ）成分がジエチレングリコールモノブチルエーテル、ポリエチレングリコールモノフェニルエーテル（エチレンオキサイド平均付加モル数２〜４）である請求項６記載の洗浄剤組成物。
【請求項８】
更に、（ｅ）成分として両性界面活性剤を 0.1〜10重量％含有する請求項１〜７のいずれか一項に記載の洗浄剤組成物。
【請求項９】
ｐＨが５〜８である請求項１〜８のいずれか一項に記載の洗浄剤組成物。
【請求項１０】
請求項１〜９のいずれか一項に記載の洗浄剤組成物をトリガー式スプレーヤーに充填し、泡状もしくは霧状で使用して食器、調理器具あるいは調理用具を洗浄することを特徴とする洗浄方法。
【発明の詳細な説明】
【０００１】
【発明の属する技術分野】
本発明は洗浄剤組成物及び洗浄方法に関し、更に詳しくは、トリガー式スプレー容器を用いて容易に使用できる溶液物性を有し、食器、および変性汚れの付着した台所用調理器具、調理用具に対する洗浄性を高め、低温時での粘度上昇が抑制され、更に洗浄時の使い勝手に優れた洗浄剤組成物及び洗浄方法に関するものである。
【０００２】
【従来の技術および発明が解決しようとする課題】
食器や台所の調理器具、調理用具等に用いる洗剤としてトリガー式スプレー容器入りのものを用いる場合、通常のプラスチックス製の容器に入っている食器用洗剤を単に、トリガー式スプレー容器に移し替えて使用するだけでは、洗剤原液の粘度が高すぎたり、低温における粘度上昇が生じるため、洗剤の液を噴出するのが困難となる。
一方、洗剤液を水で薄めて希釈した場合、活性剤分が薄くなるため洗浄剤としての機能が低下し、良好な洗浄性及び起泡性が得られなくなる。
【０００３】
従って、従来の食器用洗剤と同程度の洗浄性、起泡性を維持するためには界面活性剤の高濃度配合が必須であり、更にはトリガー式スプレーヤーを用い泡状あるいは霧状で使用するためには常温での組成物の低粘度化が課題となり、尚かつ低温時での粘度上昇を抑制する必要がある。
【０００４】
また、従来の食器用洗剤では、熱および光によってポリマー状に固化、変性した油汚れを容易に洗浄することは困難であり、従来、このように変性した油汚れを洗浄するにはアルカリ性／溶剤配合の洗浄剤で洗浄するのが一般的である。しかしながら、アルカリ性であるため手荒れの問題が懸念される。
【０００５】
従って、本発明の課題は、高活性剤濃度でありながら低粘度でかつ低温時での粘度上昇が抑制でき、トリガー式スプレー容器を用いて泡状あるいは霧状で使用することができ、更に変性汚れに対して良好な洗浄性能を有し、また手荒れを起こさないような洗浄剤組成物を提供することにある。
【０００６】
【課題を解決するための手段】
本発明者らは鋭意研究の結果、特定の成分を含む洗浄剤組成物が上記課題を解決できることを見いだし本発明を完成するに到った。
【０００７】
即ち、本発明は、下記（ａ）成分、（ｂ）成分及び（ｃ）成分を含有し、（ａ）成分の含有量が10〜30重量％、（ｂ）成分の含有量が 0.1〜10重量％、（ｂ）成分と（ｃ）成分との重量比（ｂ）／（ｃ）＝１／10〜10／１であり、粘度が20℃で50 mPa・ｓ以下で、かつ５℃での粘度と20℃での粘度との差が10 mPa・ｓ以下であることを特徴とし、トリガー式スプレーヤーに充填して用いる台所用洗浄剤組成物、及びこの洗浄剤組成物を用いた洗浄方法を提供するものである。
【０００８】
（ａ）アルキル基の炭素数８〜20のアルキルグリコシド又は脂肪酸の炭素数８〜20の脂肪酸ジエタノールアミドから選ばれる少なくとも１種のノニオン界面活性剤と、アルキル基の炭素数が８〜20でアルキレンオキサイドの平均付加モル数が20以下のポリオキシアルキレンアルキルエーテル硫酸塩又はアルキル基の炭素数が８〜20でアルキレンオキサイドの平均付加モル数が20以下のポリオキシアルキレンアルキルアミドエーテルカルボン酸塩から選ばれる少なくとも１種のアニオン界面活性剤との重量比１／15〜15／１の混合物
（ｂ）ジオール系溶剤
（ｃ）多価アルコールのアルキレンオキサイド付加物及び下記一般式（Ｉ）
【０００９】
【化４】
0003782221.tif 000002
【００１０】
（式中、R1は水素原子又は炭素数１〜５のアルキル基又はアルケニル基を示し、M はアルカリ金属、アルカリ土類金属、アンモニウム又はアルカノールアミンを示す。）
で表される置換又は無置換ベンゼンスルホン酸塩からなる群から選ばれる少なくとも１種
【００１１】
【発明の実施の形態】
以下、本発明の実施の形態を詳細に説明する。
【００１２】
本発明の（ａ）成分はノニオン界面活性剤及びアニオン界面活性剤からなる群から選ばれる少なくとも１種である。
本発明に用いられるノニオン界面活性剤としては、アルキル基の炭素数が８〜20のアルキルグリコシド、脂肪酸の炭素数が８〜20の脂肪酸ジエタノールアミドが挙げられる。
【００１３】
本発明に用いられるアニオン界面活性剤としては、アルキル基の炭素数が８〜20でアルキレンオキサイドの平均付加モル数が20以下のポリオキシアルキレンアルキルエーテル硫酸塩、アルキル基の炭素数が８〜20でアルキレンオキサイドの平均付加モル数が20以下のポリオキシアルキレンアルキルアミドエーテルカルボン酸塩（塩はアルカリ金属塩、アルカリ土類金属塩、アンモニウム塩又はアルカノールアミン塩等）が挙げられ、特にポリオキシエチレンアルキルエーテル硫酸塩及びポリオキシアルキレンアルキルアミドエーテルカルボン酸塩が好ましい。
【００１４】
本発明においては、（ａ）成分として、ノニオン界面活性剤とアニオン界面活性剤との重量比１／15〜15／１の混合物を用いるのが好ましい。
【００１５】
本発明の洗浄剤組成物中の（ａ）成分の含有量は10〜30重量％である。（ａ）成分の含有量が10重量％未満であると十分な洗浄性及び起泡性が得られず、30重量％を超えると組成物の粘度上昇が著しく、トリガー容器で使用するのが困難になる。
【００１６】
本発明の（ｂ）成分はジオール系溶剤であるが、ジオール系溶剤としては、一般式（II）で表される炭素数４〜16のジオール系溶剤が好ましい。
【００１７】
【化５】
0003782221.tif 000003
【００１８】
（式中、R2は炭素数４〜16の直鎖又は分岐鎖のアルキレン基を示す。）
これらの中では、１，６−ヘキサンジオールあるいは１, ８−オクタンジオールが特に好ましい。
【００１９】
本発明の洗浄剤組成物中の（ｂ）成分の含有量は 0.1〜10重量％、好ましくは１〜５重量％である。（ｂ）成分の含有量が 0.1重量％未満であると、減粘効果が得られず、10重量％を超えると手荒れが懸念される。
【００２０】
本発明の（ｃ）成分は多価アルコールのアルキレンオキサイド付加物及び前記一般式（Ｉ）で表される置換又は無置換ベンゼンスルホン酸塩からなる群から選ばれる少なくとも１種である。
【００２１】
本発明に用いられる多価アルコールのアルキレンオキサイド付加物を構成する多価アルコールとしては、エチレングリコール、プロピレングリコール、ネオペンチルグリコールなどの２価のアルコール、グリセリン、ポリグリセリン、トリメチロールプロパン、ペンタエリスリトール、ソルビトール等の３価以上のアルコールが好適なものとして挙げられる。またアルキレンオキサイドとしては、エチレンオキサイド、プロピレンオキサイドが好ましい。
【００２２】
本発明に用いられる多価アルコールのアルキレンオキサイド付加物の中ではエチレングリコール、プロピレングリコールまたはグリセリンのエチレンオキサイド又はプロピレンオキサイド付加物が更に好ましい。
多価アルコールのアルキレンオキサイド付加物の平均分子量は 300〜4000が好ましく、 500〜2000が特に好ましい。
【００２３】
また本発明に用いられる前記一般式（Ｉ）で表される置換又は無置換ベンゼンスルホン酸塩としては、ベンゼンスルホン酸塩、トルエンスルホン酸塩、エチルベンゼンスルホン酸塩等が挙げられ、トルエンスルホン酸のアルカリ金属塩、アルカリ土類金属塩、アンモニウム塩又はアルカノールアミン塩が好ましい。
【００２４】
本発明の洗浄剤組成物中の（ｃ）成分は、（ｂ）成分と（ｃ）成分との重量比（ｂ）／（ｃ）＝１／10〜10／１となる割合で用いられる。（ｂ）／（ｃ）の重量比が１／10未満では減粘効果が得られず、10／１を超えると低温における粘度が上昇し、トリガー式スプレー容器を用いて洗浄することができない。
【００２５】
本発明の洗浄剤組成物は、上記（ａ）〜（ｃ）成分以外に、更に、（ｄ）成分として、下記一般式(III) 、 (IV) 又は（Ｖ）で表される水溶性溶剤を 0.1〜10重量％含有することができる。
【００２６】
【化６】
0003782221.tif 000004
【００２７】
（式中、R3は炭素数３〜８の直鎖もしくは分岐鎖のアルキル基あるいはアルケニル基、フェニル基又はベンジル基を示し、R4は炭素数２〜３の直鎖又は分岐鎖のアルキレン基を示し、ｎ個のR4は同一でも異なっていてもよい。ｎは１〜10の数を示す。R5は炭素数１〜12のアルキル基を示す。R6は炭素数１〜６のアルキル基を示す。）
一般式(III) で表される水溶性溶剤としては、エチレングリコールモノブチルエーテル、ジエチレングリコールモノブチルエーテル、プロピレングリコールモノブチルエーテル、ジプロピレングリコールモノブチルエーテル、ポリオキシエチレン（ｐ＝２〜３）ポリオキシプロピレン（ｐ＝２〜３）グリコールモノブチルエーテル（ｐはエチレンオキサイド、プロピレンオキサイドの平均付加モル数を示す）、エチレングリコールモノフェニルエーテル、ポリエチレングリコールモノフェニルエーテル（エチレンオキサイド平均付加モル数２〜４）、エチレングリコールモノベンジルエーテル、ジエチレングリコールモノベンジルエーテル等が挙げられる。
【００２８】
また、一般式 (IV) で表される水溶性溶剤としては、１−メチル−２−ピロリドン、１−エチル−２−ピロリドン等が挙げられる。
更に一般式（Ｖ）で表される水溶性溶剤としては、３−メトキシ−３−メチルブタノール、３−エトキシ−３−メチルブタノール等が挙げられる。
【００２９】
これらの（ｄ）成分の中では、一般式(III) で表される水溶性溶剤が好ましく、特にジエチレングリコールモノブチルエーテル及びポリエチレングリコールモノフェニルエーテル（エチレンオキサイド平均付加モル数２〜４）が好ましい。
【００３０】
また本発明の洗浄剤組成物は、更に（ｅ）成分として両性界面活性剤を 0.1〜10重量％含有することができる。
本発明に用いられる両性界面活性剤としては、アルキル基の炭素数が８〜20のアルキルベタイン、アルキル基の炭素数が８〜20のアルキルヒドロキシスルホベタイン、アミドプロピルベタイン、第３級アミンオキサイド、アミドプロピルジメチルアミンオキサイド等が挙げられる。
【００３１】
また、本発明の洗浄剤組成物には、組成物の分離安定性、洗浄性能および起泡性能を損なわない範囲で他の任意成分を添加することができる。例えば、可溶化剤、粘度調整剤、水不溶性研磨剤、保湿剤、感触向上剤、その他酵素、香料、色素、防腐・防カビ剤等を添加することができる。
本発明の洗浄剤組成物は必要に応じて配合される任意成分を含有し、通常バランス量の水を含有する。
【００３２】
本発明の洗浄剤組成物の原液のｐＨ範囲は５〜８が好ましく、特に６〜７が好ましい。
本発明の洗浄剤組成物の粘度は、20℃で50mPa・ｓ以下が好ましく、30mPa・ｓ以下が更に好ましい。また５℃での粘度と20℃での粘度との差が20 mPa・ｓ以下のものが好ましく、10 mPa・ｓ以下のものが更に好ましい。
【００３３】
本発明においては、上記のような洗浄剤組成物をトリガー式スプレーヤーに充填し、泡状もしくは霧状で使用して、食器、調理器具あるいは調理用具を洗浄する。
このような方法で洗浄することにより、従来の食器用洗剤では容易に洗浄しがたい台所用調理器具（ガスレンジ等）、及び調理用具（ナベ、フライパン等）に付着した変性油汚れに対して中性溶液（ｐＨ５〜８）で良好な洗浄性能を示す。
【００３４】
【発明の効果】
本発明の洗浄剤組成物により、界面活性剤の高濃度配合および低粘度化が可能になり、トリガー式スプレー容器を用いて簡便に使用することが可能になった。また、本発明の洗浄剤組成物は、従来の食器用洗剤では容易に洗浄し難い台所用調理器具および調理用具に付着した変性油汚れに対して、中性溶液（ｐＨ５〜８）で高い洗浄効果を実現し、配合した溶剤によって起泡力が阻害されることはなく、更にアルカリ等による手荒れの問題もない。
【００３５】
【実施例】
以下の実施例により本発明をより詳細に説明するが、本発明はこれらの実施例に限定されるものではない。尚、実施例１〜４は参考例である。
【００３６】
実施例１〜８及び比較例１〜８
表１及び表２に示す組成を有する各洗浄剤組成物を調製し、以下の方法により変性油の洗浄力及び起泡力を試験し、また粘度を測定した。その結果を表１及び表２に示す。
【００３７】
＜変性油の洗浄力試験＞
天ぷら油を鉄板に均一に塗布し、150 ℃の温度で20分間焼き付け、殆ど乾いた膜を形成させてモデル汚染板を作り、これを用いて変性油の洗浄力試験を行った。即ち、調製した上記洗浄剤組成物を垂直に固定したモデル汚染板に滴下し10分間放置した後、浮き上がった汚れを脱脂綿で軽く除去し、その洗浄の程度（洗浄力）を下記の評価基準により肉眼で評価した。
【００３８】
0003782221.tif 000005
＜起泡力試験＞
洗浄剤組成物濃度0.5 重量％の洗剤溶液（使用水；硬度 3.5ＤＨ硬水）に汚れ成分として市販のバター0.1 重量％を添加した時の起泡量を測定する。
測定法は、直径５cmのガラス円筒にバターを添加した上記洗剤溶液を40ml入れ、20℃で15分間回転撹拌を行い、停止直後の泡高さを測定する。
【００３９】
＜粘度測定＞
粘度測定は、粘度計（TOKYO KEIKI;DEGITAL VISCOMETER DV M-3)を使用し、20℃と５℃の粘度を測定した。測定条件はローターNo.2、回転数60rpm で行った。
【００４０】
【表１】
0003782221.tif 000006
【００４１】
【表２】
0003782221.tif 000007
【００４２】
【化７】
0003782221.tif 000008